(57)【要約】【課題】  フレキシブル回路基板を回路板のコネクタに挿入するときに該フレキシブル回路基板のフレキシブル基板に亀裂を生じるような力が加わるリスクを回避できるフレキシブル回路基板を提供する。【解決手段】  フレキシブル回路基板のフレキシブル基板３１の上面３２に配置された補強板３５はその一部分をフレキシブル基板３１の上面３２に結合されている。このフレキシブル回路基板を回路板３６のコネクタ３４に挿入するときに補強板３５の後端に指を介して力が加えられると、該補強板３５の後部（非結合部分）はフレキシブル基板３１の上面３２から相対的に離れるように動かされ、これによって該補強板３５の後部の力が加えられる領域が増やされる。【選択図】  図１
0003128473.tif 000002
【実用新案登録請求の範囲】
【請求項１】
上面及び下面を有するフレキシブル基板と、フレキシブル基板の上面に配置されその一部分がフレキシブル基板の上面に結合された補強板とを備える、
ことを特徴とするフレキシブル回路基板。
【請求項２】
補強板は電気的絶縁体から成る、
ことを特徴とする請求項１に記載のフレキシブル回路基板。
【請求項３】
電気的絶縁体は硬質プラスチック素材である、
ことを特徴とする請求項２に記載のフレキシブル回路基板。
【請求項４】
補強板の一部分はフレキシブル基板の上面に接着によって結合されている、
ことを特徴とする請求項１〜３の何れか１項に記載のフレキシブル回路基板。
【請求項５】
フレキシブル回路基板を回路板のコネクタに挿入するのに適した補強板であって、該補強板はフレキシブル回路基板のフレキシブル基板の上面に配置されその一部分をフレキシブル基板の上面に結合されている、
ことを特徴とするフレキシブル回路基板用の補強板。
【請求項６】
補強板は電気的絶縁体から成る、
ことを特徴とする請求項５に記載のフレキシブル回路基板用の補強板。
【請求項７】
電気的絶縁体は硬質プラスチック素材である、
ことを特徴とする請求項６に記載のフレキシブル回路基板用の補強板。
【請求項８】
補強板の一部分はフレキシブル基板の上面に接着によって結合されている、
ことを特徴とする請求項５〜７の何れか１項に記載のフレキシブル回路基板用の補強板。
【考案の詳細な説明】
【技術分野】
【０００１】
本考案は、補強板を有するフレキシブル回路基板と、フレキシブル回路基板用の補強板に関する。
【背景技術】
【０００２】
デジタル時代が到来したことで、人々の電子製品への依存性が高まっている。高速性、高性能性、及び軽量性など現在の電子製品への要求を満たすため、フレキシブル回路基板が、ノートブック・コンピュータ、モバイル電話、デジタル・カメラ、携帯情報端末、プリンタ、及びＣＤ−ＲＯＭなど、様々な電子製品において徐々に利用を伸ばしてきている。
【０００３】
フレキシブル回路基板は、ＦＰＣ（フレキシブル・プリント回路基板）、ＦＦＣ（フレキシブル・フラット・ケーブル）、又は薄膜スイッチなどとすることができ、電気的接続用ばかりでなく、チップ又はその他の電子デバイスを載せるためにも使用される。チップとその他の電子デバイスの間の協調及び通信、並びに脆弱なチップの効果的な保護を可能にするため、チップ用の様々なパッケージ技術が開発されている。例えば、通常のウェハ・ボンディング技術は、ワイヤ・ボンディング、フリップチップ、及びテープ自動ボンディング（ＴＡＢ）などを含む。テープ自動ボンディングは、フレキシブル回路基板上にチップを接合するのに使用される。フレキシブル回路基板自体は曲げ可能であるので、後続の組み立てプロセスをより柔軟にすれば、適用例はより広まるようになる。
【０００４】
図２は回路板２６のコネクタ２４に挿入されつつある従来のフレキシブル回路基板を概略的に示すもので、該フレキシブル回路基板は、上面２２及び下面２３を有するフレキシブル基板２１と、フレキシブル基板２１の上面２２の前端部に接着された補強板２５とを備える。
【考案の開示】
【考案が解決しようとする課題】
【０００５】
従来のフレキシブル回路基板を回路板２６のコネクタ２４に挿入するに際して作業者が指（指の爪）又は平らな道具によって補強板２５の後端に力を加えるとき、該補強板２５の後端の力が加えられる領域が小さいためフレキシブル回路基板と回路板２６との組み立てに不便が生じることがある。
【０００６】
図３は従来のフレキシブル回路基板を回路板２６のコネクタ２４に挿入するときに該フレキシブル回路基板に指を介して力が加えられる様子を示すもので、作業者の操作が上手でないと、補強板２５の後端の力が加えられる領域を増やすようにフレキシブル基板２１は最初に下方に曲げられることがある。このような力を加えれば従来のフレキシブル回路基板をコネクタ２４に挿入しやすくなるが、フレキシブル基板２１の材料の特性のせいで該フレキシブル基板２１の矢印「ａ」で示される位置でフレキシブル基板２１は簡単に亀裂を生じ、その結果、従来のフレキシブル回路基板は異常な状態で使用されることになる。
【０００７】
図４は従来のフレキシブル回路基板を回路板２６のコネクタ２４に挿入するときに該フレキシブル回路基板に指を介して力が加えられる別の様子を示すもので、作業者の操作が上手でないと、フレキシブル基板２１は最初に上方に曲げられることがある。このような力を加えれば従来のフレキシブル回路基板をコネクタ２４に挿入しやすくなるが、フレキシブル基板２１の材料の特性のせいで該フレキシブル基板２１は矢印「ｂ」で示される位置で簡単に亀裂を生じ、その結果、従来のフレキシブル回路基板は異常な状態で使用されることになる。
【０００８】
本考案は前記事情に鑑みて創作されたもので、その目的とするところは、フレキシブル回路基板を回路板のコネクタに挿入するときに該フレキシブル回路基板のフレキシブル基板に亀裂を生じるような力が加わるリスクを回避できるフレキシブル回路基板とフレキシブル回路基板用の補強板を提供することにある。
【課題を解決するための手段】
【０００９】
前記目的を達成するため、本考案のフレキシブル回路基板は、上面及び下面を有するフレキシブル基板と、フレキシブル基板の上面に配置されその一部分がフレキシブル基板の上面に結合された補強板とを備える、ことをその特徴とする。
【００１０】
また、本考案のフレキシブル回路基板用の補強板は、フレキシブル回路基板を回路板のコネクタに挿入するのに適した補強板であって、該補強板はフレキシブル回路基板のフレキシブル基板の上面に配置されその一部分をフレキシブル基板の上面に結合されている、ことをその特徴とする。
【００１１】
前述のフレキシブル回路基板とフレキシブル回路基板用の補強板によれば、フレキシブル回路基板を回路板のコネクタに挿入するときに補強板の後端に力が加えられると、該補強板の他の部分（非結合部分）はフレキシブル基板の上面から相対的に離れるように動かされ、これによって該補強板の後部の力が加えられる領域が増やされる。つまり、フレキシブル回路基板を回路板のコネクタに挿入するときに作業者が補強板に力を加えるのに便利であり、フレキシブル基板に亀裂を生じるような力が加わるリスクを回避できる。
【考案の効果】
【００１２】
本考案によれば、フレキシブル回路基板を回路板のコネクタに挿入するときに該フレキシブル回路基板のフレキシブル基板に亀裂を生じるような力が加わるリスクを回避できるフレキシブル回路基板とフレキシブル回路基板用の補強板を提供することができる。
【考案を実施するための最良の形態】
【００１３】
以下に本考案の好ましい実施形態を図面を参照しながら詳細に説明するが、その説明に先立って、当業者であれば下記の実施形態に容易に変更を施すことができ、同様の作用効果が得られることを理解されたい。つまり、以下の説明は当業者への概括的な開示であり、本考案の技術的範囲を制限するものではないことを理解されるべきである。
【００１４】
図１は回路板３６のコネクタ３４に挿入されつつある本考案のフレキシブル回路基板を概略的に示すもので、該フレキシブル回路基板は、上面３２及び下面３３を有するフレキシブル基板３１と、フレキシブル基板３１の上面３２の前端部に配置された補強板３５とを備える。
【００１５】
補強板３５の矢印「Ｃ」で示される前部はフレキシブル基板３１の上面３２の前端部に接着などによって強力に結合されており、該補強板３５の後部はフレキシブル基板３１の上面３２に結合されていない。また、補強板３５は硬質ブラスチック素材等の電気的絶縁体から成る。
【００１６】
このフレキシブル回路基板を回路板３６のコネクタ３４に挿入するときに補強板３５の後端に指を介して力が加えられると、該補強板３５の後部（非結合部分）はフレキシブル基板３１の上面３２から相対的に離れるように動かされ、これによって該補強板３５の後部の力が加えられる領域が増やされる。このようにして力を加えられたフレキシブル基板３１はその前端部が補強板３５と一緒にコネクタ３４に挿入され、これによりフレキシブル回路基板と回路板３６とが組み立てられる。
【００１７】
つまり、フレキシブル回路基板を回路板３６のコネクタ３４に挿入するときに作業者が指を介して補強板３５に力を加えるのに便利であり、フレキシブル基板３１に亀裂を生じるような力が加わるリスクを回避できると共に、フレキシブル基板３５を亀裂が生じない範囲で上方又は下方に曲げることができる。
【００１８】
尚、図１には補強板３５の前部をフレキシブル基板３１の上面３２の前端部に結合したものを示したが、補強板３５の中央部分をフレキシブル基板３１の上面３２に結合して補強板の後端部分がフレキシブル基板３１の上面３２から相対的に離れるように動かせるようにしても前記同様の作用効果を得ることができ、また、補強板３５をフレキシブル基板３１の上面３２の前端部よりも多少後側に下げた位置に配置しても前記同様の作用効果を得ることができる。
【００１９】
以上、本考案の好ましい実施形態を図面を参照しながら詳細に説明したが、前述の実施形態は例示的なものであって、実用新案登録請求の範囲の記載に包含される如何なる種類の修正及び変更も本考案に含まれる。つまり、実用新案登録請求の範囲の記載に基づく本考案の技術的範囲は前記実施形態の説明に限定されるべきではない。
【図面の簡単な説明】
【００２０】
【図１】回路板のコネクタに挿入されつつある本考案のフレキシブル回路基板を概略的に示す図である。
【図２】回路板のコネクタに挿入されつつある従来のフレキシブル回路基板を概略的に示す図である。
【図３】従来のフレキシブル回路基板を回路板のコネクタに挿入するときに該フレキシブル回路基板に指を介して力が加えられる様子を示す図である。
【図４】従来のフレキシブル回路基板を回路板のコネクタに挿入するときに該フレキシブル回路基板に指を介して力が加えられる別の様子を示す図である。
【符号の説明】
【００２１】
３１…フレキシブル基板、３２…上面、３３…下面、３４…コネクタ、３５…補強板、３６…回路板。
【図１】
0003128473.tif 000003
【図２】
0003128473.tif 000004
【図３】
0003128473.tif 000005
【図４】
0003128473.tif 000006
【手続補正書】
【提出日】平成18年11月14日(2006.11.14)
【手続補正１】
【補正対象書類名】実用新案登録請求の範囲
【補正対象項目名】全文
【補正方法】変更
【補正の内容】
【実用新案登録請求の範囲】
【請求項１】
上面及び下面を有するフレキシブル基板と、フレキシブル基板の上面に配置されその一部分がフレキシブル基板の上面に結合された補強板とを備える、
ことを特徴とするフレキシブル回路基板。
【請求項２】
補強板は電気的絶縁体から成る、
ことを特徴とする請求項１に記載のフレキシブル回路基板。
【請求項３】
電気的絶縁体は硬質プラスチック素材である、
ことを特徴とする請求項２に記載のフレキシブル回路基板。
【請求項４】
補強板の一部分はフレキシブル基板の上面に接着によって結合されている、
ことを特徴とする請求項１〜３の何れか１項に記載のフレキシブル回路基板。
【手続補正３】
【補正対象書類名】明細書
【補正対象項目名】０００１
【補正方法】変更
【補正の内容】
【０００１】
本考案は、補強板を有するフレキシブル回路基板に関する。
【手続補正４】
【補正対象書類名】明細書
【補正対象項目名】０００８
【補正方法】変更
【補正の内容】
【０００８】
本考案は前記事情に鑑みて創作されたもので、その目的とするところは、フレキシブル回路基板を回路板のコネクタに挿入するときに該フレキシブル回路基板のフレキシブル基板に亀裂を生じるような力が加わるリスクを回避できるフレキシブル回路基板を提供することにある。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
前述のフレキシブル回路基板によれば、フレキシブル回路基板を回路板のコネクタに挿入するときに補強板の後端に力が加えられると、該補強板の他の部分（非結合部分）はフレキシブル基板の上面から相対的に離れるように動かされ、これによって該補強板の後部の力が加えられる領域が増やされる。つまり、フレキシブル回路基板を回路板のコネクタに挿入するときに作業者が補強板に力を加えるのに便利であり、フレキシブル基板に亀裂を生じるような力が加わるリスクを回避できる。
【手続補正７】
【補正対象書類名】明細書
【補正対象項目名】００１２
【補正方法】変更
【補正の内容】
【００１２】
本考案によれば、フレキシブル回路基板を回路板のコネクタに挿入するときに該フレキシブル回路基板のフレキシブル基板に亀裂を生じるような力が加わるリスクを回避できるフレキシブル回路基板を提供することができる。